(57)【要約】【課題】複数の板状部分の間に中空構造が形成された中空板材によってプロテクタを形成した場合において、前記プロテクタ内の空間内に電線を容易に収容できるようにすることを目的とする。【解決手段】電線モジュール１０は、複数の板状部分３２と、複数の板状部分３２の間で中空構造を形成する介在部分３６とを含む中空板材によって形成されたプロテクタ３０と、プロテクタ３０内の空間に収容された電線１２とを備える。複数の板状部分３２のうち外側に位置するものの少なくとも１つに、プロテクタ３０内での電線１２の収容経路に沿ってスリット３３が形成されている。【選択図】図１
2015156735.tif 000002
【特許請求の範囲】
【請求項１】
複数の板状部分と、前記複数の板状部分の間で中空構造を形成する介在部分とを含む中空板材によって形成されたプロテクタと、
前記プロテクタ内の空間に収容された電線と、
を備え、
前記複数の板状部分のうち外側に位置するものの少なくとも１つに、前記プロテクタ内での前記電線の収容経路に沿ってスリットが形成されている、電線モジュール。
【請求項２】
請求項１記載の電線モジュールであって、
前記介在部分は、前記複数の板状部分の間で、並列状に延在する複数の空間を形成する複数の仕切部を含み、
前記スリットは、前記複数の板状部分のうち外側に位置するものの少なくとも１つにおいて、前記複数の仕切部間に形成されている、電線モジュール。
【請求項３】
請求項１又は請求項２に記載の電線モジュールであって、
前記スリットの少なくも一方の端部は、前記板状部分の縁部よりも内側に位置している、電線モジュール。
【請求項４】
請求項１〜請求項３のいずれか１項に記載の電線モジュールであって、
前記プロテクタを複数備え、
前記複数のプロテクタのうちの少なくとも１つに形成された前記スリット上に、前記複数のプロテクタのうちの他のプロテクタが被さるように、前記複数のプロテクタが積層されている、電線モジュール。
【請求項５】
請求項１〜請求項３のいずれか１項に記載の電線モジュールであって、
前記スリット上に被さるように、前記プロテクタが折り重ねられている、電線モジュール。
【請求項６】
請求項１〜請求項３のいずれか１項に記載の電線モジュールであって、
前記スリット上に被さるように、前記プロテクタが渦巻き状に巻かれている、電線モジュール。
【発明の詳細な説明】
【技術分野】
【０００１】
この発明は、電線をプロテクタによって保護する技術に関する。
【背景技術】
【０００２】
特許文献１は、長尺Ｕ字溝体のプロテクタ本体に、蓋体を設けたプロテクタを開示している。
【０００３】
特許文献２は、樹脂シート材を湾曲成形することにより、樹脂シート材の表面に電線保持溝を設けた、フラットワイヤーハーネス形成用シートを開示している。
【先行技術文献】
【特許文献】
【０００４】
【特許文献１】特開平０８−１５４３２４号公報
【特許文献２】特開平０９−０５０７１３号公報
【発明の概要】
【発明が解決しようとする課題】
【０００５】
しかしながら、特許文献１に開示のプロテクタでは、ワイヤーハーネスの配設経路に応じた形状のプロテクタを、射出成型金型装置によって製造する必要がある。このため、製造コストが高くなってしまう傾向にある。
【０００６】
また、特許文献２に開示のフラットワイヤーハーネス形成用シートでは、そのシートによって電線の外周囲全体を覆うことはできないため、電線の保護性能が不十分である。
【０００７】
そこで、複数の板状部分の間に中空構造が形成された中空板材によってプロテクタを形成し、このプロテクタの中空構造内に電線を収容することが考えられる。
【０００８】
しかしながら、上記中空板材の中空構造は、複数の板状部分間に存在しているため、その中空構造内に電線を収容することは困難である。特に、電線の端部に端子が圧着されていると、その端子付電線を前記中空構造内に通していくことは困難となる。
【０００９】
そこで、本発明は、複数の板状部分の間に中空構造が形成された中空板材によってプロテクタを形成した場合において、前記プロテクタ内の空間内に電線を容易に収容できるようにすることを目的とする。
【課題を解決するための手段】
【００１０】
上記課題を解決するため、第１の態様に係る電線モジュールは、複数の板状部分と、前記複数の板状部分の間で中空構造を形成する介在部分とを含む中空板材によって形成されたプロテクタと、前記プロテクタ内の空間に収容された電線と、を備え、前記複数の板状部分のうち外側に位置するものの少なくとも１つに、前記プロテクタ内での前記電線の収容経路に沿ってスリットが形成されているものである。
【００１１】
第２の態様は、第１の態様に係る電線モジュールであって、前記介在部分は、前記複数の板状部分の間で、並列状に延在する複数の空間を形成する複数の仕切部を含み、前記スリットは、前記複数の板状部分のうち外側に位置するものの少なくとも１つにおいて、前記複数の仕切部間に形成されているものである。
【００１２】
第３の態様は、第１又は第２の態様に係る電線モジュールであって、前記スリットの少なくも一方の端部は、前記板状部分の縁部よりも内側に位置しているものである。
【００１３】
第４の態様は、第１〜第３のいずれか１つの態様に係る電線モジュールであって、前記プロテクタを複数備え、前記複数のプロテクタのうちの少なくとも１つに形成された前記スリット上に、前記複数のプロテクタのうちの他のプロテクタが被さるように、前記複数のプロテクタが積層されているものである。
【００１４】
第５の態様は、第１〜第３のいずれか１つの態様に係る電線モジュールであって、前記スリット上に被さるように、前記プロテクタが折り重ねられているものである。
【００１５】
第６の態様は、第１〜第３のいずれか１つの態様に係る電線モジュールであって、前記スリット上に被さるように、前記プロテクタが渦巻き状に巻かれているものである。
【発明の効果】
【００１６】
第１の態様によると、前記複数の板状部分のうち外側に位置するものの少なくとも１つに、電線の収容経路に沿ってスリットが形成されているため、当該スリットを利用して電線をプロテクタ内の空間に容易に収容することができる。
【００１７】
第２の態様によると、並列状に延在する複数の空間のそれぞれに、スリットを利用して電線を容易に収容できる。
【００１８】
第３の態様によると、板状部分の内側の領域では、スリットを利用して電線を容易に収容できる。板状部分の縁部では、板状部分間を通すように電線を収容することで、電線の脱出を抑制することができる。
【００１９】
第４の態様によると、スリットからの電線の抜けを抑制することができる。
【００２０】
第５の態様によると、スリットからの電線の抜けを抑制することができる。
【００２１】
第６の態様によると、スリットからの電線の抜けを抑制することができる。
【図面の簡単な説明】
【００２２】
【図１】実施形態に係る電線モジュールを示す概略斜視図である。
【図２】同上の電線モジュールのプロテクタ部分を示す概略正面図である。
【図３】プロテクタに端子付電線を収容する作業を示す説明図である。
【図４】プロテクタに端子付電線を収容する作業を示す説明図である。
【図５】第１変形例に係る電線モジュールを示す概略斜視図である。
【図６】第２変形例に係る電線モジュールを示す概略斜視図である。
【図７】第３変形例に係る電線モジュールを示す概略斜視図である。
【図８】同上の電線モジュールのプロテクタ部分の概略正面図である。
【図９】第４変形例に係る電線モジュールを示す概略斜視図である。
【図１０】同上の電線モジュールのプロテクタの概略正面図である。
【図１１】電線モジュールの製造工程を示す説明図である。
【図１２】電線モジュールの製造工程を示す説明図である。
【図１３】電線モジュールの製造工程を示す説明図である。
【図１４】電線モジュールの製造工程を示す説明図である。
【図１５】第５変形例に係る電線モジュールを示す概略断面図である。
【図１６】第６変形例に係るプロテクタを製造するための中空板材を示す一部切欠斜視図である。
【図１７】第７変形例に係るプロテクタを製造するための中空板材を示す一部切欠斜視図である。
【発明を実施するための形態】
【００２３】
｛実施形態｝
以下、実施形態に係る電線モジュールについて説明する。図１は電線モジュール１０を示す概略斜視図であり、図２は同電線モジュール１０のプロテクタ３０部分を示す概略正面図であり、図３及び図４はプロテクタ３０に端子付電線１１を収容する作業を示す説明図である。
【００２４】
電線モジュール１０は、プロテクタ３０と、電線１２とを備える。
【００２５】
電線１２は、導線の周囲に押出被覆等によって樹脂被覆が施されたものである。ここでは、電線モジュール１０は、複数（ここでは１４本）の電線１２を備える。各電線１２の端部には、圧着端子１４が接続されている。なお、電線１２の端部に圧着端子１４が接続されたものを端子付電線１１と表記する場合がある。複数の圧着端子は、コネクタに組込まれる。そして、本電線モジュール１０が車両等に取付けられた状態で、コネクタが車両に搭載された電気制御ユニット、各種センサ、各種駆動機器に接続される。これにより、本電線モジュール１０は、車両に搭載された各種電気部品同士を電気的に接続する配線材として用いられる。
【００２６】
プロテクタ３０は、複数の板状部分３２と、介在部分３６とを備え、全体として板状に形成されている。介在部分３６は、複数の板状部分３２間に介在し、複数の板状部分３２の間に、電線１２を収容可能な中空構造を形成するように構成されている。
【００２７】
このプロテクタ３０の中空構造内に、少なくとも１本の電線１２の延在方向の少なくとも一部が収容されることで、電線モジュール１０が構成される。プロテクタ３０は、電線１２を外部（例えば、配線経路の周辺にあるエッジ部分等）から保護する役割、電線１２を所定の配線経路に沿って維持する役割等を果す。また、本プロテクタ３０に、複数の電線１２が収容される場合には、それらを配線経路における経路スペースに応じた形状に維持する役割、即ち、複数の電線１２を互いに平行な状態で並ぶように維持する役割をも果す。なお、車両への配設状態において、プロテクタ３０が曲げられていてもよい。
【００２８】
プロテクタ３０についてより具体的に説明すると、プロテクタ３０は、複数（ここでは２つ）の板状部分３２と、複数の板状部分３２の間に設けられた介在部分３６とを備える。
【００２９】
複数の板状部分３２及び介在部分３６を形成する材質は特に限定されない。複数の板状部分３２及び介在部分３６は、紙によって形成されていてもよいし、樹脂（ポリプロピレン等）によって形成されていてもよいし、また、これらの組合わせによって構成されていてもよい。複数の板状部分３２及び介在部分３６の少なくとも１つを紙によって形成する場合には、その表面に撥水処理等を施すことが好ましい。ここでは、複数の板状部分３２と介在部分３６とが樹脂によって一体成型された例で説明する。
【００３０】
板状部分３２は、平板状に形成されている。複数の板状部分３２が介在部分３６を介して間隔をあけた状態で連結されている。
【００３１】
介在部分３６は、複数の仕切部分３６ａを備える。各仕切部分３６ａは、細長い帯板状に形成されている。複数の仕切部分３６ａは、板状部分３２の間で、当該板状部分３２に対し直交し、かつ、相互間に間隔をあけた並列状態で設けられている。各仕切部分３６ａの両側部は、板状部分３２の内向き面に連結されている。これにより、複数の板状部分３２が間隔をあけた状態で支持されている。また、複数の板状部分３２の間であって各仕切部分３６ａの間に、並行状に延在する複数の空間（電線１２を収容可能な空間）が形成される。
【００３２】
かかるプロテクタ３０を、仕切部分３６ａの延在方向に対して直交する面で切断すると、２つの板状部分３２の間に複数の仕切部分３６ａが介在するはしご状断面を示す。
【００３３】
このようなプロテクタ３０は、例えば、前記はしご状断面に応じた押出孔から樹脂を押出す押出成型装置によって、中空板材を連続的に押出成型し、この中空板材を、保護対象となる電線１２の本数、当該電線１２において保護すべき距離等に応じて切断することで形成することができる。これにより、プロテクタ３０を容易に低コストで製造することができる。
【００３４】
なお、上記板状部分３２及び介在部分３６の少なくとも一方には、アルミ箔又は銅箔等によるシールド層が設けられていてもよい。
【００３５】
なお、プロテクタ３０の厚み寸法は、１．５ｍｍ〜１５．０ｍｍであることが好ましい。また、プロテクタ３０において並列状に形成された空間を仕切る仕切部分３６ａのピッチは、４ｍｍ〜２０ｍｍであることが好ましい。
【００３６】
本実施形態の例では、プロテクタ３０には、複数（ここでは１４個）の細長状の収容空間が並列状に形成されている。そして、複数の収容空間のそれぞれに電線１２が収容されている。従って、プロテクタ３０内には複数の電線１２が並行状態で中空構造内に収容されている。もっとも、複数の収容空間の一部のみに電線１２が収容されていてもよい。
【００３７】
そして、プロテクタ３０の一端部から延出する電線１２が共通するコネクタに接続されている。
【００３８】
上記収容空間は、プロテクタ３０の板状部分３２間を通る細長い空間であるため、電線１２を当該収容空間内に収容することは難しい。特に、電線１２の端部に圧着端子１４が接続されていると、そのような端子付電線１１を収容空間内に通していくことは難しい。特に、圧着端子１４の太さが、収容空間内を通過可能な太さではなく、通過不能な大きさであると、上記作業は基本的には実施できないことになる。
【００３９】
そこで、本実施形態では、複数の板状部分３２のうち外側に位置するものの少なくとも１つに、プロテクタ３０内での電線１２の収容経路（ここでは、仕切部分３６ａ間の各収容空間）に沿ってスリット３３が形成されている。
【００４０】
より具体的には、本プロテクタ３０は、２つの板状部分３２を備えており、両板状部分３２はプロテクタ３０の外側に位置している。この２つの板状部分３２のうちの一方にスリット３３が形成されている。ここでは、プロテクタ３０には、各仕切部分３６ａ間に位置して１４個の細長い収容空間が形成されている。スリット３３は、一方の板状部分３２において、各仕切部分３６ａの中間位置（ここでは中央位置）で、細長い収容空間に沿うように形成されている。スリット３３は、切断刃等によって形成された線状の切れ目である。このため、本スリット３３は、通常状態では閉じており、プロテクタ３０から当該スリット３３を通じて電線１２を観察することは困難である。
【００４１】
そして、上記端子付電線１１がスリット３３を通じてプロテクタ３０内に収容空間に収容される。すなわち、端子付電線１１のうちプロテクタ３０内への収容部分を、一方の板状部分３２のスリット３３に向けて押込むと（図３及び図４参照）、当該板状部分３２がスリット３３を挟む部分で弾性変形し、電線１２を通過可能な空間が形成される。そして、電線１２がスリット３３を通過し、プロテクタ３０内の収容空間内に収容されると、板状部分３２は、スリット３３を閉じるように元の板形状に弾性復帰する。本作業が、複数の端子付電線１１に対して同様になされることで、電線モジュール１０が製造される。勿論、圧着端子１４が取付けられていない電線１２をプロテクタ３０内に収容する際にも、電線１２をプロテクタ３０内の細長い収容空間にその延在方向に沿って通していく作業を省略できるため、電線１２の収容作業を容易に行える。
【００４２】
以上のように構成された電線モジュール１０によると、板状部分３２に、電線１２の収容経路に沿ってスリット３３が形成されているため、当該スリット３３を利用して電線１２を容易にプロテクタ３０内に収容することができる。
【００４３】
特に、端子付電線１１であっても、スリット３３を利用して容易にプロテクタ３０内に収容できるため、製造工程上の制約を少なくすることができる。
【００４４】
また、介在部分３６は、複数の板状部分３２の間で、並列状に延在する複数の空間を形成する複数の仕切部分３６ａを含んでいるため、複数の電線１２を互いに平行な状態に維持することができる。また、スリット３３は、板状部分３２のうち複数の仕切部分３６ａ間に形成されているため、各仕切部分３６ａ間の複数の収容空間のそれぞれに、スリット３３を利用して容易に電線１２を収容することができる。
【００４５】
また、板状部分３２によって電線１２と外部とをより確実に絶縁でき、また、仕切部分３６ａによって、個々の電線１２をより確実に絶縁できるため、絶縁性に優れるという効果もある。
【００４６】
なお、上記実施形態では、プロテクタ３０が２つの板状部分３２を備える例で説明したが、プロテクタが、３つ以上の板状部分を備え、各板状部分間に介在部分が設けられた構成であってもよい。この場合には、プロテクタの外側に位置する２つの板状部分のうち少なくとも一方にスリットが形成されていればよい。
【００４７】
また、プロテクタ３０は、ある程度電線１２を所定の経路に沿って維持可能な程度の剛性を有すると共に、折曲げたり湾曲させたりして曲げることもできる。このため、経路規制すべき箇所及び曲げて配設すべき箇所を含む配線経路に対して、比較的低コストで対応することができる。
【００４８】
また、プロテクタ３０自体は、板状形態であるため、効率よく保管、輸送することができるという利点がある。また、上記中空板材を適宜切断して、必要に応じた幅、長さのプロテクタ３０を製造することができるため、汎用性に優れるという利点もある。
【００４９】
｛変形例｝
上記実施形態を前提として、各種変形例について説明する。
【００５０】
図５に示す第１変形例に係る電線モジュール１１０では、上記スリット３３を塞ぐように、板状部分３２の表面に粘着テープ１０２が貼付けられている。ここでは、板状部分３２に複数の粘着テープ１０２がスリット３３の延在方向に沿って貼付けられている。各粘着テープ１０２は、その幅に応じて、１つのスリット３３のみを塞ぐものであってもよいし、複数のスリット３３を塞ぐものであってもよい。ここでは、各粘着テープ１０２は、複数のスリット３３を塞ぐように、板状部分３２の表面に貼付けられている。
【００５１】
この変形例によると、粘着テープ１０２によってスリット３３を塞ぐことで、電線１２がスリット３３を通じて外部に脱出してしまうことを有効に抑制できる。
【００５２】
図６に示す第２変形例に係る電線モジュール２１０では、板状部分３２に対応する板状部分２３２にスリット３３に対応するスリット２３３が形成されている。上記実施形態では、スリット３３は、板状部分３２の縁部に達するように形成されていたが、本変形例では、スリット２３３の少なくとも一方の端部（ここでは一方の端部）は、板状部分２３２の縁部よりも内側に位置している。このため、スリット２３３の端部延長上では、板状部分２３２は板状に延在している（ここでは、切残し部分２３２ａとして説明する）。
【００５３】
この変形例では、電線１２の大部分を、スリット２３３を通じてプロテクタ２３０内に収容し、電線１２を板状部分２３２間に通す作業を実施し端子圧着することで、端子付電線１１をプロテクタ２３０内に収容することができる。このため、スリット２３３が無い場合と比べると、電線１２の収容作業を容易に行える。
【００５４】
また、電線１２を収容した状態では、電線１２は切残し部分２３２ａ部分で、一対の板状部分２３２間に収容された状態に維持される。このため、電線１２がプロテクタ２３０内から脱出し難いという利点がある。
【００５５】
図７は第３変形例に係る電線モジュール３１０を示す概略斜視図であり、図８は同電線モジュール３１０のプロテクタ３０部分の概略正面図である。
【００５６】
この電線モジュール３１０は、第１実施形態におけるプロテクタ３０を複数（ここでは２つ）備えている。なお、各プロテクタ３０には、上記実施形態と同様に、端子付電線１１が収容されている。
【００５７】
そして、複数のプロテクタ３０のうちの少なくとも１つに形成されたスリット３３上に、他のプロテクタ３０が被さるように、複数のプロテクタ３０が積層されている。ここでは、一方のプロテクタ３０の上側の板状部分３２にスリット３３が形成されており、このプロテクタ３０上に他方のプロテクタ３０が積層されている。従って、一方のプロテクタ３０のスリット３３の外方（上方）には、他方のプロテクタ３０の下側の板状部分３２が位置しており、一方のプロテクタ３０に収容された電線１２がスリット３３を通じて外部に脱出し難いようになっている。
【００５８】
なお、複数のプロテクタ３０の積層状態は、両プロテクタ３０間の接着剤、粘着剤（両面テープの形態で提供される場合を含む）、複数のプロテクタ３０の積層形態に巻回された粘着テープ等によって維持される。
【００５９】
なお、他方のプロテクタ３０のスリット３３が内向き（つまり、一方のプロテクタ３０側を向く）となるように、両プロテクタ３０が積層されていてもよい。また、３つ以上のプロテクタが積層されていてもよい。
【００６０】
図９は第４変形例に係る電線モジュール４１０を示す概略斜視図であり、図１０は同電線モジュール４１０のプロテクタ４３０の概略正面図であり、図１１〜図１４は電線モジュール４１０の製造工程を示す説明図である。
【００６１】
この電線モジュール４１０では、スリット４３３上に被さるように、プロテクタ４３０が折り重ねられた構成とされている。
【００６２】
折り重ね前のプロテクタ４３０は、上記実施形態におけるプロテクタ３０に対してスリット３３の位置が異なる構成とされている。すなわち、プロテクタ４３０は、上記プロテクタ３０と同様に、複数（ここでは２つ）の板状部分４３２と、その複数の板状部分４３２の間に介在する介在部分３６とを備える（図１１及び図１２参照）。そして、プロテクタ４３０内に、複数の細長い収容空間が並列状に形成されている。
【００６３】
一方の板状部分４３２に対して、並列状の収容空間の一つおきに対応する位置に、スリット４３３が形成されている。また、好ましくは、一方の板状部分４３２の幅方向中央に、スリット４３３の延在方向に沿って折目４３４が形成されている。折目４３４は、板材のエッジを押し当てること等によって形成することができる。
【００６４】
また、上記実施形態と同様に、端子付電線１１を、スリット４３３を介して、プロテクタ４３０内に収容空間に収容していく。この際、並列状の収容空間のうちスリット４３３が形成されたもの、即ち、並列状の収容空間に一つおきに端子付電線１１を収容していく（収容途中の状態について図１１及び図１２参照、収容後の状態について図１３及び図１４参照）。
【００６５】
そして、平板状のプロテクタ４３０を、スリット４３３が形成された側の面を内向きにするようにして、その幅方向中央部で折り重ねる。ここでは、平板状のプロテクタ４３０を、二つ折りにする。
【００６６】
すると、図９及び図１０に示すように、スリット４３３上に被さるようにプロテクタ４３０が折り重ねられ、上記電線のモジュール４１０が製造される。
【００６７】
この電線モジュール４１０によると、プロテクタ４３０のスリット４３３上に、プロテクタ４３０の他の部分が被さっているため、プロテクタ４３０に収容された電線１２がスリット４３３を通じて外部に脱出し難いようになっている。
【００６８】
特に、並列状の収容空間の一つおきにスリット４３３を形成して電線１２を収容し、スリット４３３上に、板状部分４３２のうちスリット４３３が形成されていない部分が被さるようにしているため、電線１２の脱出をより確実に抑制できる。
【００６９】
なお、プロテクタ４３０の折重ね状態は、プロテクタ４３０間の接着剤、粘着剤（両面テープの形態で提供される場合を含む）、プロテクタ４３０の折重ね形態に巻回された粘着テープ等によって維持される。
【００７０】
なお、板状部分のうち全ての収容空間に対応する位置にスリットが形成されていてもよく、また、全ての収容空間に電線が収容されていてもよい。
【００７１】
上記第３変形例及び第４変形例によると、電線１２を多段に並列配置した状態で維持できるというメリットもある。
【００７２】
図１５に示す第５変形例に係る電線モジュール５１０では、上記実施形態におけるプロテクタ３０が渦巻状に巻回されており、その各層部分の内側又は外側のスリット上に他の層部分が被さっている。
【００７３】
この変形例によっても、電線１２の脱出をより確実に抑制できる。
【００７４】
また、中空構造を有する板状のプロテクタの形状は上記例に限られない。
【００７５】
図１６は第６変形例に係るプロテクタを製造するための中空板材６３０Ｂを示す一部切欠斜視図である。この中空板材６３０Ｂは、複数（ここでは２つ）の板状部分６３２の間に介在部分６３６が設けられた構成とされている。
【００７６】
介在部分６３６は、凹凸形状を呈する板状に形成された部材である。かかる介在部分６３６が、複数の板状部分６３２の間に挟み込まれた状態で、当該板状部分６３２の内向き面に接合される。板状部分６３２と介在部分６３６との接合は、例えば、接着剤、粘着剤等により行われる。これにより、介在部分６３６が呈する凹凸形状に応じた中空構造が、複数の板状部分６３２の間に形成される。
【００７７】
ここでは、介在部分６３６は、山部６３６ａと谷部６３６ｂとが波状に連続する形状に形成されている。山部６３６ａの延在方向と谷部６３６ｂの延在方向とは、平行な位置関係にあり、従って、介在部分６３６を平面視すると、複数の山部６３６ａと複数の谷部６３６ｂとが交互に並列状に形成された構成とされている。山部６３６ａの頂部と谷部６３６ｂの底部とは、湾曲していてもよいし、所定の角度をなして曲っていてもよい。山部６３６ａと谷部６３６ｂとのうち板状部分６３２の間に配設される部分が、並行状に延在する複数の空間を形成する仕切部分となる。
【００７８】
そして、介在部分６３６が複数の板状部分６３２の間に挟み込まれ、谷部６３６ｂの底部の下面と下側の板状部分６３２とが接合されると共に、山部６３６ａの頂部の上面と上側の板状部分６３２とが接合されている。
【００７９】
また、板状部分６３２（ここでは上側）のうち各谷部６３６ｂの間の部分にスリット６３３が形成されている。なお、板状部分６３２のうち各山部６３６ａ部分にも当該スリットが形成されていてもよい。この場合、山部６３６ａもスリットを形成することで、それらのスリットを通じて電線を収容できる。
【００８０】
この電線モジュールによっても、上記実施形態と同様の作用効果を得ることができる。
【００８１】
図１７は第７変形例に係るプロテクタを製造するための中空板材７３０Ｂを示す一部切欠斜視図である。この中空板材７３０Ｂは、複数（ここでは２つ）の板状部分７３２の間に介在部分７３６が設けられた構成とされている。
【００８２】
すなわち、介在部分７３６は、凹凸形状を呈する板状に形成された部材であり、より具体的には、介在部分７３６の平面視において点在するように複数の突部７３７が形成された構成とされている。ここでは、介在部分７３６を平面視した状態において、複数の突部７３７が縦横に一定間隔で並ぶように形成されている。突部７３７は、介在部分７３６のうち平板状に延在する基板部７３８より一方主面側に突出するように形成されており、筒の上端部が閉じられた形状を呈している。ここでは、突部７３７は、上方に向けて徐々に狭まる形状、即ち、錐台形状に形成されている。突部７３７は、円錐台形状に形成されていてもよいし、角錐台形状に形成されていてもよいし、角錐台の角を丸めた形状に形成されていてもよい。
【００８３】
そして、介在部分７３６が複数の板状部分７３２の間に挟み込まれ、基板部７３８の下面が下側の板状部分７３２に接合され、突部７３７の頂部が上側の板状部分７３２に接合されている。
【００８４】
また、板状部分７３２（ここでは上側）のうち各突部７３７間の部分にスリット７３３、７３３ｂが形成されている。スリット７３３、７３３ｂは、収容される電線の経路に沿っていればよく、直線状であってもよいし（スリット７３３参照）、各突部７３７間において電線が曲げられつつ収容される場合には、曲るように形成されていてもよい（スリット７３３ｂ参照）。
【００８５】
この中空板材７３０Ｂを、収容対象となる電線１２の本数、収容すべき長さ寸法等に応じて適宜切断してプロテクタを構成し、各突部７３７間の空間にスリット７３３、７３３ｂを利用して電線１２を収容することで、電線モジュールが構成される。
【００８６】
なお、板状部分間の介在部分は、複数の部分の組合わせによって構成されていてもよい。
【００８７】
また、上記実施形態等では、１つのプロテクタを備える電線モジュールに係る構成を説明したが、電線モジュールは、複数のプロテクタを備えていてもよい。
【００８８】
なお、上記実施形態及び各変形例において、板状部分が３枚以上設けられていてもよい。この場合、板状部分の各間に介在部分が設けられていることが好ましい。
【００８９】
なお、上記実施形態及び各変形例で説明した各構成は、相互に矛盾しない限り適宜組合わせることができる。
【００９０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９１】
１０、１１０、２１０、３１０、４１０、５１０  電線モジュール
１１  端子付電線
１２  電線
３０、２３０、４３０  プロテクタ
３２、２３２、４３２、６３２、７３２  板状部分
３３、２３３、４３３、６３３、７３３、７３３ｂ  スリット
３６、６３６、７３６  介在部分
３６ａ  仕切部分
６３０Ｂ、７３０Ｂ  中空板材
【図１】
2015156735.tif 000003
【図２】
2015156735.tif 000004
【図３】
2015156735.tif 000005
【図４】
2015156735.tif 000006
【図５】
2015156735.tif 000007
【図６】
2015156735.tif 000008
【図７】
2015156735.tif 000009
【図８】
2015156735.tif 000010
【図９】
2015156735.tif 000011
【図１０】
2015156735.tif 000012
【図１１】
2015156735.tif 000013
【図１２】
2015156735.tif 000014
【図１３】
2015156735.tif 000015
【図１４】
2015156735.tif 000016
【図１５】
2015156735.tif 000017
【図１６】
2015156735.tif 000018
【図１７】
2015156735.tif 000019